(57)【特許請求の範囲】
【請求項１】
相互に結合して着用者の下半身を収容する前部(11a)及び後部(11b)と、前記前部（11a）及び後部（11b）の上端部に固定された着用者の腰を取りめぐるベルト部（11c）とからなるズボン（11）であって、
前記ズボン（11）の内部に固定されて、その枠部がズボンに部分的に固定された状態でズボン着用者の臀部を弾力的に支持する復元性を持つ伸縮性生地からなる弾力布（17a）と、
前記弾力布（17a）に固定されて着用者の臀部を上方に支え上げてズボン外部に表れる着用者のヒップラインにボリューム感を提供するヒップアップバンド（17e）とを備えており、
前記弾力布（17a）は、その中央部に、弾力布（17a）自体に弾性力を付加して、弾力布（17a）を着用者の臀部に密着するように、ズボンのクロッチ部（13a）からベルト部（11c）に延びたゴム糸裁縫部（17d）を備え、
また、
その両側部に、前記ヒップアップバンド（17e）の両端部にそれぞれ固定されて上方に延び、ヒップアップバンド（17e）により支え上げられた臀部の両側部が左右に広がらないように、臀部を内側に押し込む支持バンド（19a）を備え、
さらに、
前記弾力布（17a）の両側部には、前記ヒップアップバンド（17e）の長手方向の両端部にそれぞれ繋がって固定された状態で、弾力布（17a）の外部領域に延長され、支持バンド（19a）に対して間の開いた形態を有し、その延長端部がズボン（11）の前方のベルト部（11c）内に挿入固定され、ズボンの着用時にヒップアップバンド（17e）をズボンの前方上部に弾力的に引き上げ、弾力布（17a）を臀部に密着させる伸縮性引張りバンド（23b）を備えた体型補正機能を有するズボン。
【請求項２】
前記弾力布（17a）の下側部には、ズボン(11)を着用した着用者のズボンの外部に表れる太腿ラインがスリムに見えるように、太腿を加圧補正する加圧バンド(21a)を備えた請求項１に記載の体型補正機能を持つズボン。
【発明の詳細な説明】
【技術分野】
【０００１】
本発明は、体型補正機能を持つズボンに関する。
【背景技術】
【０００２】
最近、自分自身の気分や好みを重要視する生活パターンを持つ女性が増加するにつれて、より快適な感じと自分なりのスタイルを満足させる多彩な服が開発及びアピールされている。このような服は、服の基本機能を有すると同時に、美しくて魅力的なボディラインを見せたい女性の願望を充足させる役割を行う。
【０００３】
一方、着用者の体型補正を主目的とする服は、主にアンダーウェアであり、ボディラインを整理してスタイルを活かすことはもとより、究極的には上着のスタイルを引き立たせる。例えば、ガードル（ｇｉｒｄｌｅ）は、着用者の（皮下脂肪を正しい位置に分配させることによって）垂れた臀部を上に支え上げるか、太腿をスリムに引き締めることによって、例えば、からだにピッタリとフィットするジーンズを着ても、臀部の部位を魅力的でスリムに見せ、自信のある生活を送れるようにする。
【０００４】
ところが、従来のガードルは、身体を圧迫するものであり、ほとんど伸縮性がないので、着替えが非常に不便であり、臀部や太腿部位を必要以上にひどく引き締めて血液循環を阻害することもある。また、垂れた臀部をある程度支え上げるか、太腿をスリムに引き締めることはできるが、臀部自体が小さくて貧弱な人の場合、臀部をさらに大きくてピチピチしたものにするなどの補正効果を提供できないという限界があった。
【発明の開示】
【発明が解決しようとする課題】
【０００５】
本発明は、前記問題点に鑑みてなされたものであり、臀部の形状を補正するための弾力布がズボン内部に一体型に固定されているので、既存のガードルを着用する方式ではなく、ズボンだけ履けばヒップラインの補正がなされて便利であり、一般的なガードルとは異なって腹部を除外して臀部だけを加圧するため、腹部部位の血液循環を阻害せずに不快な感じを与えず、着替えに不便でなく、特にパッドを適用する場合、ズボンの外部に表れるヒップラインをさらに弾力あって魅力的に演出できる体型補正機能を持つズボンを提供するところに目的がある。
【課題を解決するための手段】
【０００６】
本発明の体型補正機能を有するズボンは、相互に結合して着用者の下半身を収容する前部及び後部と、前記前部及び後部の上端部に固定された着用者の腰を取りめぐるベルト部とからなるズボンであって、前記ズボンの内部に固定され、一体のシートの形態をなし、その枠部がズボンに部分的に固定された状態でズボン着用者の臀部を弾力的に支持する弾力性生地からなる弾力布と、前記弾力布に固定されて着用者の臀部を上方に支え上げてズボン外部に表れる着用者のヒップラインにボリューム感を提供するヒップアップバンドとを備えており、前記弾力布は、その中央部に、弾力布自体に弾性力を付加して、弾力布を着用者の臀部に密着するように、ズボンのクロッチ部からベルト部に延びたゴム糸裁縫部を備え、また、その両側部に、前記ヒップアップバンドの両端部にそれぞれ固定されて上方に延び、ヒップアップバンドにより支え上げられた臀部の両側部が左右に広がらないように、臀部を内側に押し込む支持バンドを備え、さらに、前記弾力布の両側部には、前記ヒップアップバンドの長手方向の両端部にそれぞれ繋がって固定された状態で、弾力布の外部領域に延長され、支持バンドに対して間の開いた形態を有し、その延長端部がズボンの前記前部とベルト部とが結合する結合部に固定され、ズボンの着用時にヒップアップバンドをズボンの前方上部に弾力的に引き上げ、弾力布を臀部に密着させる伸縮性引張りバンドを備えたことを特徴とする。
【０００７】
【０００８】
【０００９】
【００１０】
【００１１】
【００１２】
【００１３】
【００１４】
【００１５】
【００１６】
【００１７】
【発明の効果】
【００１８】
本発明による体型補正機能を持つズボンは、臀部の形を補正するための弾力布がズボン内部に一体型に固定されているので、既存のガードルを着用する方式ではなく、ズボンだけ履けばヒップラインの補正がなされて便利であり、一般的なガードルとは異なって腹部を除外して臀部だけを加圧するため、腹部部位の血液循環を阻害せずに不快な感じを与えず、着替えに不便でなく、特にパッドを適用する場合、ズボンの外部に表れるヒップラインをさらに弾力あり魅力的に演出できる。
【発明を実施するための最良の形態】
【００１９】
以下、本発明による実施形態を添付された図面を参照してさらに詳細に説明する。なお、図１〜図６は参考例を示し、図７及び図８が本願発明の実施形態を示す。
【００２０】
図１は、本発明の第１の参考形態による体型補正機能を持つズボンの内部構成を示す分解斜視図である。
【００２１】
図面を参照すれば、本発明の第１の参考形態による体型補正機能を持つズボンは、ズボン１１と、前記ズボン１１の内部に固定されて一体をなして、着用者の臀部の部位に弾力的に密着する弾力布１７ａと、前記弾力布１７ａの外側面所定位置に固定され、着用者の臀部を上に支え上げるヒップアップバンド１７ｅとから形成される。前記弾力布１７ａと、弾力布１７ａに裁縫されるヒップアップバンド１７ｅは、ズボンと共に着用者の臀部体型を補正するものであり、本説明では、これらを合わせてガードル１７と称する。
【００２２】
前記ズボン１１は、一般的な普通のズボンであり、裁縫を通じて結合される前部１１ａと後部１１ｂとベルト部１１ｃとを持つ。図面符号１３は、前部１１ａと後部１１ｂとを裁縫することで作られた裁縫部である。前記ベルト部１１ｃは、着用者の腰を取り囲む部位であり、裁縫された状態の前部１１ａ、後部１１ｂの上端部に裁縫結合する。さらに、図面符号１５は、ポケット用袋である。
【００２３】
一方、前記ガードル１７は、（臀部をその中に取り入れる）従来の一般的なガードルとは異なって、臀部の後で臀部の部位のみをカバーする。したがって、例えば、前記ガードル１７をズボン１１から分離したとしても、ガードル１７のみを着用することはできない。
【００２４】
前記ガードル１７をなす弾力布１７ａは、復元性を持つ伸縮性生地、いわゆる、ツーウェイ生地やこれと類似した性質の他の生地で製作される。前記弾力布１７ａの大きさは、ズボンサイズによって変わるということは言うまでもない。
【００２５】
前記弾力布１７ａの上端部は、上部縫い込み部１７ｂであり、ズボンのベルト部１１ｃと後部１１ｂとの結合部間に挟まれて裁縫される。また、弾力布１７ａの両側端部の側部縫い込み部１７ｃは、ズボンの裁縫部１３に結合する。さらに、図面には表示されていないが、前記弾力布の中央下端部は、ズボンのクロッチ部１３ａに裁縫結合する。
【００２６】
結局、第１参考形態のズボンにおいて、着用者の臀部は、前部１１ａと弾力布１７ａとの間で弾力的に引き締められる。もちろん、ズボンがタイトな場合、ガードル１７が後部１１ｂに密着するため、臀部の輪郭は、ガードル１７と後部１１ｂを通じて外部に表れる。
【００２７】
また、前記弾力布１７ａの中央部には、ゴム糸裁縫部１７ｄが位置する。前記ゴム糸裁縫部１７ｄは、公知のゴム糸（ゴムで作られた裁縫用糸）で、弾力布１７ａの中央部を裁縫したものである。公知の事実のように、ゴム糸は弾性力を持つので（弾力布１７ａ自体の弾力性に自身の弾力性を追加して）、弾力布１７ａを着用者の臀部にさらに安定的に密着させる。
【００２８】
特に、前記ゴム糸裁縫部１７ｄは、本発明のズボンを購入して着用する人の臀部サイズが少しずつ異なるとしても、座ったり立つ時、またはその他の活動時、常に一定の密着感を提供して心理的に安らぎを与える。
【００２９】
一方、前記ヒップアップバンド１７ｅは、臀部を図２の矢印ａ方向に支え上げて中央に引きつけるものであり、非伸縮性織物から形成される。例えば、非伸縮性トリコット織物で製作できる。または、通気性を考慮してネット状の織物で製作することもできる。
【００３０】
ところで、前記ヒップアップバンド１７ｅは、図２に示したように、弾力布１７ａの中心部を基準に左右対称をなしつつ、臀部を矢印ａ方向に引き上げる。前記ヒップアップバンド１７ｅにより（本実施形態のズボンを着用することによって）、平常時垂れていた臀部がヒップアップされて、弾力性のあるピチピチしたヒップラインを演出できる。
【００３１】
図２は、前記図１に図示したガードルの作用を説明するために示した図面である。
【００３２】
図示したように、ガードル１７をなす弾力布１７ａが着用者の臀部Ａに密着した状態で、ヒップアップバンド１７ｅが臀部の下方部位を矢印ａ方向に上向き支持している。前記ヒップアップバンド１７ｅの曲率や幅などの形状は、場合によっていくらでも変わりうるということは言うまでもない。
【００３３】
図３は、本発明の第２参考形態による体型補正機能を持つズボンの内部構成を示す分解斜視図であり、図４は、前記図３に図示したガードルを別途に示した図面である。
【００３４】
以下、前記した図面符号と同じ図面符号は、同一機能の同じ部材を意味し、それに関する反復された説明は省略する。
【００３５】
図３及び図４を参照すれば、第２参考形態による体型補正機能を持つズボンに適用されるガードル１９には、前記ヒップアップバンド１７ｅ以外に１対の支持バンド１９ａがさらに備えられていることが分かる。前記支持バンド１９ａは、その下端がヒップアップバンド１７ｅの両端部に連結固定された状態で、上部縫い込み部１７ｂに向かって上方に延びた非伸縮性生地部材である。前記ヒップアップバンド１７ｅと支持バンド１９ａとは、その隣接端部が裁縫を通じて相互結合されている。前記ヒップアップバンド１７ｅと支持バンド１９ａとは、同じ種類の非伸縮性繊維で製作でき、通風を考慮して通風性を持つメッシュ生地を適用できる。
【００３６】
前記支持バンド１９ａは、図４に示したように、弾力布１７ａの両側部に対称に固定されて、着用者の臀部Ａを矢印ｂ方向に押さえる。前記支持バンド１９ａの作用により、臀部が脇に広がらず（後から見た時）、臀部が広く見えることを防止することができる。
【００３７】
図５は、本発明の第３参考形態による体型補正機能を持つズボンの内部構成を図示した分解斜視図であり、図６は、前記図５に図示したガードルを別途に示した図面である。
【００３８】
図５及び図６を参照すれば、第３参考形態による体型補正機能を持つズボンに備えられるガードル２１には、第２参考形態のガードル（図３の１９）と比べて、加圧バンド２１ａがさらに備えられていることが分かる。
【００３９】
前記加圧バンド２１ａは、弾力布１７ａの両側部下端に裁縫固定されたものであり、着用者の太腿Ｂの外側部を矢印ｃ方向に押さえて支持する。人によって臀部Ａの両側部を矢印ｂ方向に押さえれば、太腿の外側部が相対的に突き出る場合があるが、前記加圧バンド２１ａが、この突き出る現象を防止する。すなわち、前記加圧バンド２１ａにより着用者の太腿がスリムに見える。前記加圧バンド２１ａとして、ヒップアップバンド１７ｅと同じ種類の布を適用する。さらに、場合によって、前記加圧バンド２１ａの形状を変更してヒップアップバンド１７ｅに連結固定させることもある。
【００４０】
図７は、本発明の実施形態による体型補正機能を持つズボンの内部構成を図示した分解斜視図であり、図８は、前記図７に図示したガードルの作用を説明するために示した図面である。
【００４１】
図７及び図８に示したように、本実施形態による体型補正機能を持つズボンでのガードル２３には図５及び図６の引張りバンド２３ｂがさらに備えられている。前記引張りバンド２３ｂは、その一端部がヒップアップバンド１７ｅの両端部に固定され、前方上部に延びたものであり、延長端部は、ズボンのベルト部１１ｃ内に挿入固定される。
【００４２】
前記引張りバンド２３ｂは、伸縮性を持ってヒップアップバンド１７ｅを矢印ｃ方向に引き上げる。特に、前記引張りバンド２３ｂは、弾力布１７ａには接せず、ただし、その延長端部がズボンのベルト部１１ｃに固定されて、弾力布１７ａが着用者の臀部にさらに弾力的に接して、座ったり立ったり、または運動する時、弾力布１７ａを常に臀部に密着させて、心理的な満足感を持つことができる。
【００４３】
【００４４】
【００４５】
【００４６】
【００４７】
【００４８】
【００４９】
【００５０】
【００５１】
【００５２】
【００５３】
【００５４】
【００５５】
【００５６】
【００５７】
【００５８】
【００５９】
【００６０】
【００６１】
【００６２】
【００６３】
【００６４】
【００６５】
以上、本発明を具体的な実施形態を通じて詳細に説明したが、本発明は、前記実施形態に限定されず、本発明の技術的思想の範囲内で当業者によって色々な変形が可能である。
【産業上の利用可能性】
【００６６】
【図面の簡単な説明】
【００６７】
【図１】本発明の第１参考形態による体型補正機能を持つズボンの内部構成を示す分解斜視図である。
【図２】前記図１に図示したガードルの作用を説明するために示した図面である。
【図３】本発明の第２参考形態による体型補正機能を持つズボンの内部構成を示す分解斜視図である。
【図４】前記図３に図示したガードルの作用を説明するために示した図面である。
【図５】本発明の第３参考形態による体型補正機能を持つズボンの内部構成を図示した分解斜視図である。
【図６】前記図５に図示したガードルの作用を説明するために示した図面である。
【図７】本発明の実施形態による体型補正機能を持つズボンの内部構成を図示した分解斜視図である。
【図８】前記図７に図示したガードルの作用を説明するために示した図面である。
【符号の説明】
【００６８】
１１  ズボン
１１ａ  前部
１１ｂ  後部
１１ｃ  ベルト部
１３  ズボンの裁縫部
１３ａ  ズボンのクロッチ部
１５  ポケット用袋
１７  ガードル
１７ａ  弾力布
１７ｂ  上部縫い込み部
１７ｃ  側部縫い込み部
１７ｄ  ゴム糸裁縫部
１７ｅ  ヒップアップバンド
１９  ガードル
１９ａ  支持バンド
２１  ガードル
２１ａ  加圧バンド
２３  ガードル
２３ｂ  引張りバンド
【図１】
0004669978.tif 000002
【図２】
0004669978.tif 000003
【図３】
0004669978.tif 000004
【図４】
0004669978.tif 000005
【図５】
0004669978.tif 000006
【図６】
0004669978.tif 000007
【図７】
0004669978.tif 000008
【図８】
0004669978.tif 000009